(57)【要約】【課題】極力良好に受信できるチャンネルを選択することを可能にする放送受信装置を提供する。【解決手段】放送受信装置は、ディジタル放送を受信してトランスポートストリームを出力するチューナ２と、前記トランスポートストリームからパケットを分離すると共に前記パケットを受け取って各データを生成するデコーダ３と、を備える。そして、この放送受信装置のＣＰＵ１３は、例えばチャンネルリスト上で有局とされたチャンネルを指定して電波受信を実行し、受信感度を判定する。そして、装置起動時に最も受信感度が良好であるチャンネルを選択して放送受信を実行させる。【選択図】図１
2007228307.tif 000002
【特許請求の範囲】
【請求項１】
ディジタル放送を受信してトランスポートストリームを出力するチューナと、前記トランスポートストリームからパケットを分離するデマルチプレクサと、前記パケットを受け取って各データを生成するデコーダと、を備える放送受信装置において、電波を受信して受信感度を判定する手段と、受信感度の判定対象となるチャンネルを指定する手段と、最も受信感度が良好であると判定されたチャンネルを選択して放送受信を実行させる手段と、を備えたことを特徴とする放送受信装置。
【請求項２】
請求項１に記載の放送受信装置において、受信感度が所定値以上であるチャンネルのなかにラストチャンネルが存在する場合には、前記最も良好であるチャンネルに代えて当該ラストチャンネルを選択して放送受信を実行することを特徴とする放送受信装置。
【請求項３】
ディジタル放送を受信してトランスポートストリームを出力するチューナと、前記トランスポートストリームからパケットを分離するデマルチプレクサと、前記パケットを受け取って各データを生成するデコーダと、を備える放送受信装置において、電波を受信して受信感度を判定する手段と、受信感度の判定対象となるチャンネルを指定する手段と、各チャンネルの受信感度を表記したチャンネルリスト画面を表示する手段と、ユーザにより指定されたチャンネルを選択して放送受信を実行させる手段と、を備えたことを特徴とする放送受信装置。
【請求項４】
請求項３に記載の放送受信装置において、前記チャンネルリスト画面上で受信感度が所定値以上であるチャンネルを示している箇所は他の箇所と区別される形態で表示されることを特徴とする放送受信装置。
【請求項５】
請求項３又は請求項４に記載の放送受信装置において、前記チャンネルリスト画面には受信感度が良好な順にチャンネルリストが表記されることを特徴とする放送受信装置。
【請求項６】
請求項１乃至請求項５のいずれかに記載の放送受信装置において、受信感度の判定対象となるチャンネルは、チャンネルスキャン時に有局と判断されたチャンネルであることを特徴とする放送受信装置。
【請求項７】
請求項１乃至請求項５のいずれかに記載の放送受信装置において、受信感度の判定対象となるチャンネルは、地域ごとに用意されたチャンネルリストで有局とされているチャンネルであることを特徴とする放送受信装置。
【請求項８】
請求項１乃至請求項７のいずれかに記載の放送受信装置において、チャンネル選択方法としてＵＰ／ＤＯＷＮ選局が選択されている場合、ポジション番号順にＵＰ／ＤＯＷＮ選局を行うとともに受信感度が所定値に満たないチャンネルはスキップすることを特徴とする放送受信装置。
【発明の詳細な説明】
【技術分野】
【０００１】
この発明は、地上ディジタル放送を受信する放送受信装置に関する。
【背景技術】
【０００２】
地上ディジタル放送はアナログ地上波にみられるように各地に設置された複数の放送局によって放送を行うこととしており、衛星ディジタル放送のような一元放送とはならない。すなわち、地上波ディジタル放送においても、アナログ方式と同様に放送周波数配置は各放送局によって異なることになる（特許文献１参照）。
【０００３】
ところで、地域毎のチャンネルリストの取得方法には、チャンネルスキャン、オート選局、マニュアル選局などがある。チャンネルスキャンは、受信可能な周波数帯（１３ｃｈ〜６２ｃｈ）を順次に選局し、受信できた局（有局チャンネル）に関する情報に基づいてリストを作成する方法である。オートスキャンは、受信地点において受信可能なチャンネルのリストを通信経由でダウンロードする方法である。マニュアル選局は、端末に登録済みの地域別チャンネルリストをユーザが手動で選択する方法である。従来のチャンネルリストの画面表示例を図７に示し、チャンネルリストの項目と内容を図８に示している。
【０００４】
図６は従来の選局処理内容を示したフローチャートである。起動された受信装置は、初めにエリア判定処理を行い（ステップＳ３１）、エリアが変わったかどうかを判断する（ステップＳ３２）。エリア判定処理は視聴地域において前回使用したチャンネルリストが使用可能かどうか（リスト上のサービスＩＤと受信により得られたサービスＩＤとが一致するかどうか）を判定する処理である。エリアが変わったと判断したときには、先述した方法にてチャンネルリストを取得する（ステップＳ３３）。
【０００５】
次に、初回選局かどうかを判断する（ステップＳ３４）。当該受信装置の購入後初めて或いは初期化後初めての選局であるなら（前回選局チャンネルの情報が存在しないなら）、初回選局と判断される。初回選局と判断したときには、例えば最も小さい（若い）リモコンキー番号に割り当てられているチャンネルを選局する（ステップＳ３５）。初回選局でないと判断したときには、ラストチャンネルを選局する（ステップＳ３６）。ラストチャンネルとは、最後に見ていたチャンネルのことである。その後は、予め指定されている選局方法で選局を行う。具体的には、選局方法を判断し（ステップＳ３７）、例えばワンタッチ選局が選択されているのであれば、操作されたリモコンキー（ポジション）に割り当てられているチャンネルを選択する一方（ステップＳ３８）、ＵＰ／ＤＯＷＮ選局が選択されているのであれば、ＵＰ／ＤＯＷＮキーの押下に応じてリモコンキー番号順（ポジション番号順）にチャンネルを選択する（ステップＳ３９）。
【特許文献１】特開２００１−２４４８３２５号公報
【発明の開示】
【発明が解決しようとする課題】
【０００６】
従来技術においては、上記のごとく、受信装置の起動直後のチャンネル選択においては、最若番号のチャンネルの選択或いはラストチャンネルの選択が実行されるのであるが、可搬型放送受信装置が移動させられている状況下においては、かかるチャンネル選択によって受信したチャンネルが必ずしも受信良好なチャンネルであるとは限らず、当該チャンネルが受信不能であるためにユーザが他のチャンネルを探さなければならないことがあった。また、番組内容や放送局にこだわらずに、とにかく最も良好に受信できるチャンネルを選択しておきたいといった要望もあり得る。
【０００７】
この発明は、上記の事情に鑑み、極力良好に受信できるチャンネルを選択することを可能にする放送受信装置を提供することを目的とする。
【課題を解決するための手段】
【０００８】
この発明の放送受信装置は、上記の課題を解決するために、ディジタル放送を受信してトランスポートストリームを出力するチューナと、前記トランスポートストリームからパケットを分離するデマルチプレクサと、前記パケットを受け取って各データを生成するデコーダと、を備える放送受信装置において、電波を受信して受信感度を判定する手段と、受信感度の判定対象となるチャンネルを指定する手段と、最も受信感度が良好であると判定されたチャンネルを選択して放送受信を実行させる手段と、を備えたことを特徴とする（以下、この項において第１構成という）。
【０００９】
上記第１構成であれば、最も受信感度が良好であると判定されたチャンネルの放送が受信されることになる。
【００１０】
上記第１構成において、受信感度が所定値以上であるチャンネルのなかにラストチャンネルが存在する場合には、前記最も良好であるチャンネルに代えて当該ラストチャンネルを選択して放送受信を実行することとしてもよい。
【００１１】
また、この発明の放送受信装置は、ディジタル放送を受信してトランスポートストリームを出力するチューナと、前記トランスポートストリームからパケットを分離するデマルチプレクサと、前記パケットを受け取って各データを生成するデコーダと、を備える放送受信装置において、電波を受信して受信感度を判定する手段と、受信感度の判定対象となるチャンネルを指定する手段と、各チャンネルの受信感度を表記したチャンネルリスト画面を表示する手段と、ユーザにより指定されたチャンネルを選択して放送受信を実行させる手段と、を備えたことを特徴とする（以下、この項において第２構成という）。
【００１２】
上記第２構成であれば、各チャンネルの受信感度を表記したチャンネルリスト画面が表示される。ユーザはこの画面を見てチャンネルを指定することができるので、極力良好に受信できるチャンネルを選択することが可能になる。
【００１３】
上記第２構成において、前記チャンネルリスト画面上で受信感度が所定値以上であるチャンネルを示している箇所は他の箇所と区別される形態で表示されることとしてもよい。また、第２構成又はこれに従属する構成において、前記チャンネルリスト画面には受信感度が良好な順にチャンネルが表記されることとしてもよい。
【００１４】
これら構成の放送受信装置において、受信感度の判定対象となるチャンネルをチャンネルスキャン時に有局と判断されたチャンネルとするようにしてもよい。或いは、受信感度の判定対象となるチャンネルを地域ごとに用意されたチャンネルリストで有局とされているチャンネルとするようにしてもよい。
【００１５】
これら構成の放送受信装置において、チャンネル選択方法としてＵＰ／ＤＯＷＮ選局が選択された場合、ポジション番号順にＵＰ／ＤＯＷＮ選局を行うとともに受信感度が所定値に満たないチャンネルはスキップすることとしてもよい。
【発明の効果】
【００１６】
この発明によれば、極力良好に受信できるチャンネルを選択することを可能にするという効果を奏する。
【発明を実施するための最良の形態】
【００１７】
以下、この発明の実施形態の可搬型放送受信装置を図１乃至図５に基づいて説明する。
【００１８】
図１において、アンテナ１は地上放送局から送られてくるディジタル放送信号を受信する。
【００１９】
地上ディジタルチューナ２は、映像音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。チューナ２はＣＰＵ１３から選局指令を受け取る。また、チューナ２は受信チャンネルの受信感度をＣＰＵ１３に供給する。
【００２０】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）或いはＨ.２６４のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デコーダ３は、ビデオストリームとオーディオストリームを入力するＡＶデコーダ部を有する。また、前記ＰＳＩ／ＳＩ等をＣＰＵ１３に供給する。
【００２１】
前記ＡＶデコーダ部はビデオストリームに対してデコードを行うビデオデコーダ、オーディオストリームに対してデコードを行うオーディオデコーダから成る。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データは映像処理部４に出力され、音声データは音声処理部５に出力される。
【００２２】
映像処理部４は、受信映像の映像データを受け取ってＤ／Ａ変換及びダウンデコード処理（メモリ１４内でフレームを形成する）を行い、例えばコンポジット映像信号に変換する。また、映像処理部４はＯＳＤ（オンスクリーンディスプレイ機能）を有し、ＣＰＵ１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００２３】
映像信号はアンプ７を経て映像出力部１１に供給される。音声データはＤ／Ａ変換アンプ８を経てアナログ信号に変換されて音声出力部１２に入力される。映像出力部１１及び音声出力部１２には、図示しないＡＶ出力端子を介して図示しないディスプレイ及びスピーカが接続される。
【００２４】
メモリ（ＲＡＭ、ＥＥＰＲＯＭ、フラッシュメモリ、ＲＯＭ等）１４には、チューナ２から出力されるデータの他、地域別チャンネルリスト、チャンネルスキャンによるチャンネルリスト等の各種データが格納される。
【００２５】
リモコン送信機１５は、当該放送受信装置３０に指令を送出するための送信機である。放送受信装置が携帯電話や携帯ゲーム機等として構成されるときには、このようなリモコン送信機は不要であるが、車載用放送受信装置として構成されるときには、このようなリモコン送信機１５が設けられる場合がある。このリモコン送信機１５に設けられたキーを操作すると、そのキーに対応した指令を意味する信号光（リモコン信号）が図示しない発光部から送出される。受光部１６は、前記リモコン送信機１５のキーが操作されたときに出力される信号光を受光し、これを電気信号に変換してコード解析を行い、チャンネル番号情報をＣＰＵ１３に与える。なお、リモコン送信機１５と共に或いはリモコン送信機１５に代えてタッチパネル式の操作部等を設けてもよい。
【００２６】
ＣＰＵ１３は、当該受信装置の全体制御を行う他、この発明に係わる処理として以下の処理を実行する。
【００２７】
（チャンネルスキャン処理）
例えば、受信装置の毎日の初回電源投入時（例えば、当該装置が自動車に搭載されているのであれば毎日の最初のエンジン始動時）、これまで受信できていた放送が受信できなくなったとき、ユーザによるチャンネルスキャン指令を受けたとき等に、ＣＰＵ１３はチャンネルスキャンを実行する。ＣＰＵ１３は、チューナ２に地上ディジタル放送が送信されるＵＨＦ帯域の最も低い周波数を選局させて有局判定を行う。有局（ディジタル放送有り）と判断した場合には、その周波数情報、受信したトランスポートストリームから分離した付属情報（放送事業者又は放送事業者系列を識別するための放送局識別ＩＤ（affiliation id）、番組情報等）を抽出し、メモリ１４に記憶する。この処理を、順次周波数を上げて最も高い周波数まで続ける（例えば、１３ｃｈ〜６２ｃｈまで）。前記放送局識別ＩＤ（affiliation id）は、前記トランスポートストリームからＰＳＩを分離し、このＰＳＩのなかのＢＩＴ（Ｂｒｏａｄｃａｓｔｅｒ  Ｉｎｆｏｒｍａｔｉｏｎ  Ｔａｂｌｅ）から取り出すことができる。
【００２８】
（リモートコントロールキーＩＤの取得処理）
上述したチャンネルスキャンに際し、有局であった周波数（チャンネル）において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）からリモートコントロールキーＩＤを取り出す。
【００２９】
（リモコンキーへの割当処理）
リモコンキーへの割当処理（ポジション設定）は、前記リモートコントロールキーＩＤに基づいて自動実行することによりできる（チャンネルスキャンによるリスト作成）。勿論、リモコンキーへの割当処理は、オート選局或いはマニュアル選局でも行うことができる。
【００３０】
前記チャンネルスキャンによるリスト作成においては、例えば、取得したリモートコントロールキーＩＤが示す番号のリモコンキーに当該放送局を受信するための周波数情報等を対応させる。すなわち、○○放送局がリモートコントロールキーＩＤとして「３」をトランスポートストリームに付加して送信することにより、受信装置２は、前記トランスポートストリームを受信してリモートコントロールキーＩＤを取得し、リモコンキー「３」に○○放送局を割り当てる（○○放送局を受信するための周波数情報及びトランスポートストリームＩＤをリモコンキー「３」に対応付ける）。以後、ユーザによってリモコンキー「３」が操作されると、○○放送局の放送が選局されるようになる。
【００３１】
オート選局においては、受信地点において受信可能なチャンネルのリストを通信経由でダウンロードする。勿論、このオート選局を可能とするには通信インターフェイスを備えておく必要がある。マニュアル選局においては、機器に予め搭載されている地域別チャンネルリストが利用される。地域別チャンネルリストは、工場出荷時において判明している地域毎に受信可能な（可能と推定される）放送局情報を記載したリストである。
【００３２】
図２は選局処理内容を示したフローチャートである。起動された受信装置のＣＰＵ１３は、初めにエリア判定処理を行い（ステップＳ１）、エリアが変わったかどうかを判断する（ステップＳ２）。エリア判定処理は視聴地域において前回使用したチャンネルリストが使用可能かどうかを判定する処理である。ＣＰＵ１３は、エリアが変わったと判断したときには、先述したいずれかの方法にてチャンネルリストを作成する（ステップＳ３）。
【００３３】
ＣＰＵ１３は、前記チャンネルリストを作成した後、或いはエリアが変わっていないと判断したときには、受信感度を取得し、得られた受信感度を既存のチャンネルリストに上書きする（ステップＳ４）。チャンネルリストの作成を前記チャンネルスキャンにより行うときには、このスキャンに際して受信感度測定を行うことができる。他の方法でチャンネルリストを取得するときには、当該リスト上で有局とされているチャンネルを順次選択して受信感度を測定する。受信感度はチューナ２において取得されるＣ／Ｎ比、受信電界強度、エラーレートなどにより得られる。受信感度測定の詳細は後で説明する。なお、受信感度測定においては各受信放送波から情報を取り出す必要はないので、チャンネルスキャンに要する時間に比べて短い時間で済む。
【００３４】
ＣＰＵ１３は受信感度が最も良いと判断したチャンネルを選局する（ステップＳ５）。その後は、予め指定されている選局方法で選局を行う。具体的には、ＣＰＵ１３は、選局方法を判断し（ステップＳ６）、例えばワンタッチ選局が選択されているのであれば、操作されたリモコンキー（ポジション）に割り当てられているチャンネルを選択し（ステップＳ７）、ＵＰ／ＤＯＷＮ選局が選択されているのであれば、ＵＰ／ＤＯＷＮキーの押下に応じてリモコンキー番号順（ポジション番号順）で且つ受信感度が所定レベルに満たないチャンネルはスキップして選局する（ステップＳ８）。勿論、受信感度が良い順にチャンネルを選局することもできる。
【００３５】
受信感度測定の内容を図３のフローチャートに基づいて説明していく。なお、このフローチャートでは、チャンネルスキャンに際して行う受信感度測定を例示している。まず、初期指定チャンネルとして１３ｃｈ（物理チャンネル）がセットされる（ステップＳ１１）。ＣＰＵ１３は、指定チャンネルの情報をチューナ２に与え、指定チャンネルを選局させる（ステップＳ２）。次に、チューナにおいて周波数ロックが行えたかどうか（ベースバンド信号が得られたかどうか）を判断する（ステップＳ１３）。ロックできない場合には次の番号の物理チャンネルを指定し（ステップＳ１７）、ステップＳ１２に戻る。ロックできたときには、受信感度測定を行う（ステップＳ１４）。そして、得られた受信感度を当該チャンネルの受信感度としてチャンネルリストに書き込む（ステップＳ１５）。最終の物理チャンネルまで同処理を繰り返す（ステップＳ１６，ステップＳ１７）。なお、オート選局やマニュアル選局で取得したチャンネルリストを有する場合、ＣＰＵ１３は、例えばポジション番号の若い順で且つ有局とされているチャンネルを順次指定して受信感度測定を行っていけばよい。
【００３６】
以上説明したように、この発明によれば、装置の起動時において最若番号のチャンネル或いはラストチャンネルの受信を行うのではなく、最も受信感度が良好であるチャンネルを選局するので、放送を視聴できないといった不満を防止することができる。ここで、ディジタル放送においては一定以上の受信感度が得られれるならば、アナログ放送とは異なってどのチャンネルも遜色のない画質で映像表示できるのであるが、最も受信感度が良好であるチャンネルを選局することとすれば、移動により受信地がある程度変化するときでも良好な受信状態を最も長く継続できると考えられる。
【００３７】
本願発明によるチャンネルリストの画面表示例を図４に示し、チャンネルリストの項目と内容を図５に示す。図４の表示例では、受信感度（ビットエラーレート等）を「０」「１」「２」「３」の４段階で表している。それぞれの意味は、「０」ロック不能、「１」受信感度悪い、「２」受信感度普通、「３」受信感度良好である。勿論、このような段階分けをせずに、受信感度そのものの値を示すこととしてもよい。また、図４の表示例では、受信感度の良い順にリモコンキー番号の並び替えを行っている。このような表示画面上での並び替えにより、例えば、カーソル移動と決定キーの押下にて選局することとする場合において、受信感度の良いものを優先的に選局する操作が容易になる。勿論、カーソル移動によるチャンネル選択に限らず、リモコンキー操作でチャンネルを選択することもできる。更に、図４の表示例では、受信感度が「２」以上であるチャンネルの欄を他とは異なる色で表示している。他とは異なる表示形態であればよいから、色に限らず、文字の太さ、ハッチング、濃淡などで区別できるようにしてもよい。このような区別を行うことにより、受信感度が悪いチャンネルをユーザが選択してしまうことを極力防止できることになる。なお、図４の表示例では、リスト内容の一つとして物理チャンネルを示しているが、物理チャンネルをリスト内容から外してもよい。また、一つのチャンネルリストを持つことに限らず、複数のチャンネルリストを備え、ユーザが任意のチャンネルリストを選択できるようにしてもよい。
【００３８】
なお、上記実施例では、テレビＯＮ時の最初のチャンネル選択を示したが、これに限らず、地域毎のチャンネルリストを取得した時（例えばチャンネルスキャン実行時）の最初のチャンネル選択において上述した最良受信感度チャンネルの選択やチャンネルリスト表示処理を実行することとしてもよい。また、例えば、番組内容や放送局にこだわらずに、とにかく最も良好に受信できるチャンネルを選択しておきたいといった要望を叶えるべく、「おまかせチャンネル（最も受信感度のよいチャンネルを選局します）」といったメニュー項目を設け、この項目がユーザによって選択されているときに、上述した最良受信感度チャンネルの選択処理を実行することとしてもよい。また、例えば「おまかせチャンネル」と表記されたボタンが操作されたときに、現在視聴中の放送の受信を中断して各チャンネルの受信感度測定を実行し、上述した最良受信感度チャンネルの選択やチャンネルリスト表示処理を実行することとしてもよい。また、受信感度が良好（所定値以上）であるチャンネルのなかにラストチャンネルが存在する場合には、最も受信感度がよいチャンネルに代えてラストチャンネルを選局することとしてもよい。また、受信感度判定を行うチャンネルの伝送パラメータ（変調方式）が分かっている場合には、この伝送パラメータを受信感度判定に加味してもよい。例えば、異なるチャンネルにおいて同じ受信感度が得られた場合において、一方のチャンネルはＱＰＳＫ（１／２）であり、他方のチャンネルがＱＰＳＫ（２／３）であった場合、電波障害に強い方のＱＰＳＫ（１／２）を伝送パラメータとして持つチャンネルが最も受信感度がよいチャンネルであるとして選局するようにしてもよい。また、同一チャンネル内に複数のサービス（サブチャンネル）が存在しており、各サービスにおいて伝送パラメータが異なっている場合にも、最も電波障害に強い伝送パラメータを持つサービスを選択するようにしてもよい。
【図面の簡単な説明】
【００３９】
【図１】この発明の実施形態の可搬型放送受信装置を示したブロック図である。
【図２】この発明の実施形態の処理内容を示したフローチャートである。
【図３】この発明の受信感度測定処理を示したフローチャートである。
【図４】この発明の実施形態のチャンネルリストの表示内容を示した説明図である。
【図５】この発明の実施形態のチャンネルリストの内容を示した説明図である。
【図６】従来の処理内容を示したフローチャートである。
【図７】従来のチャンネルリストの表示内容を示した説明図である。
【図８】従来のチャンネルリストの内容を示した説明図である。
【符号の説明】
【００４０】
２      地上ディジタルチューナ
３      ＭＰＥＧ−ＴＳデコーダ分離回路
４      映像処理部
５      音声処理部
１３    ＣＰＵ
１５    メモリ
【図１】
2007228307.tif 000003
【図２】
2007228307.tif 000004
【図３】
2007228307.tif 000005
【図４】
2007228307.tif 000006
【図５】
2007228307.tif 000007
【図６】
2007228307.tif 000008
【図７】
2007228307.tif 000009
【図８】
2007228307.tif 000010